(57)【要約】【課題】本発明は、キー紛失時などの非常時に、複雑な操作を必要とせずに、複数のディスクタンブラーを一斉に処理しながら短時間で解錠できるようにした、ディスクタンブラー錠用解錠治具を提供することを課題とする。【解決手段】施錠状態のディスクタンブラー錠の内筒における鍵穴２に挿入して同内筒をディスクタンブラーと共に解錠方向Ｒへ付勢するためのハンドル１ｂを付設されたテンション棒１ａと、同テンション棒１ａの上面ａと下面ｂとに沿いピッキングバー４ａ，４ｂを摺動させて鍵穴２内へ押し込むことにより上記ディスクタンブラーを内筒と外筒との境界としてのシアラインの上部との係合状態から下方へ移行させるためのグリップ４ｃ付きピック４とを備えて、ディスクタンブラー錠用解錠治具が構成される。【選択図】　図９
2004036154.tif 000002
【特許請求の範囲】
【請求項１】
ディスクタンブラー錠における外筒の内部にシアラインを介し回動可能に介装され前端に鍵穴を形成される内筒を、施錠時にはスプリングの付勢により上記シアラインを横切るように存在して回動不能とする複数の方形リング状ディスクタンブラーについて、非常用の解錠時に上記シアラインとの交叉状態から離脱させることにより、解錠を行うべく、上記鍵穴を通じ上記複数のディスクタンブラーに挿通されて同ディスクタンブラーと共に上記内筒を解錠方向に付勢しうるハンドル付きテンション棒と、同テンション棒の上面および下面に沿いそれぞれ案内されて上記鍵穴内に挿入されることにより上記複数のディスクタンブラーを上記スプリングに抗して上記シアラインの上部以下に降下させるための互いに平行な上下一対のピッキングバーを有するグリップ付きピックとを備えたことを特徴とする、ディスクタンブラー錠用解錠治具。
【請求項２】
請求項１に記載のディスクタンブラー錠用解錠治具において、上記テンション棒に付設されたハンドルが、同テンション棒の外端部から直角に屈曲して一体に設けられた棒状ハンドルとして形成され、上記ピックに付設されたグリップが、上記上下一対のピッキングバーの基端に一体に設けられた板状グリップとして形成されていることを特徴とする、ディスクタンブラー錠用解錠治具。
【請求項３】
請求項１または２に記載のディスクタンブラー錠用解錠治具において、上記ピックにおける上下一対のピッキングバーが、それぞれの先端部に傾斜面を有することにより全体として先細に形成されていることを特徴とする、ディスクタンブラー錠用解錠治具。
【発明の詳細な説明】
【０００１】
【発明の属する技術分野】
本発明は、ディスクタンブラー錠について、キーの紛失時などに応急的に解錠を行えるようにした、ディスクタンブラー錠用解錠治具に関する。
【０００２】
【従来の技術】
一般に、ディスクタンブラー錠は、図１６（分解斜視図）に示すような複雑は構造を有しており、そのキーの紛失時には、図１７に示すようなピックと図１８に示すようなテンションとを用いて、多数のディスクタンブラーを１つずつ操作しながら、熟練した技術により解錠が行われている。
なお、図１６において、符号２は鍵穴を示し、１１は外筒、１２は内筒、１４はディスクタンブラー，１５はスプリング、１６はＥリング、１７はカム、１８はプラグリターンスプリング、１９はプラスティックファスナー、２０はバネ、２１はバネ板、２２はダストカバー、２３はシリンダーカバーを示す。
【０００３】
【発明が解決しようとする課題】
そこで本発明は、キー紛失時などの非常時に、複雑な操作を必要とせずに、複数のディスクタンブラーを一斉に処理しながら短時間で解錠できるようにした、ディスクタンブラー錠用解錠治具を提供することを課題とする。
【０００４】
【課題を解決するための手段】
前述の課題を解決するため、本発明のディスクタンブラー錠用解錠治具は、ディスクタンブラー錠における外筒の内部にシアラインを介し回動可能に介装され前端に鍵穴を形成される内筒を、施錠時にはスプリングの付勢により上記シアラインを横切るように存在して回動不能とする複数の方形リング状ディスクタンブラーについて、非常用の解錠時に上記シアラインとの交叉状態から離脱させることにより、解錠を行うべく、上記鍵穴を通じ上記複数のディスクタンブラーに挿通されて同ディスクタンブラーと共に上記内筒を解錠方向に付勢しうるハンドル付きテンション棒と、同テンション棒の上面および下面に沿いそれぞれ案内されて上記鍵穴内に挿入されることにより上記複数のディスクタンブラーを上記スプリングに抗して上記シアラインの上部以下に降下させるための互いに平行な上下一対のピッキングバーを有するグリップ付きピックとを備えたことを特徴としている。
【０００５】
また、本発明のディスクタンブラー錠用解錠治具は、上記テンション棒に付設されたハンドルが、同テンション棒の外端部から直角に屈曲して一体に設けられた棒状ハンドルとして形成され、上記ピックに付設されたグリップが、上記上下一対のピッキングバーの基端に一体に設けられた板状グリップとして形成されていることを特徴としている。
【０００６】
さらに、本発明のディスクタンブラー錠用解錠治具は、上記ピックにおける上下一対のピッキングバーが、それぞれの先端部に傾斜面を有することにより全体として先細に形成されていることを特徴としている。
【０００７】
上述の本発明のディスクタンブラー錠用解錠治具では、同治具を用いてディスクタンブラー錠の解錠を行う際に、まず上記ハンドル付きテンション棒を、そのハンドルを把持して鍵穴に挿入する操作が行われる。ついで、上記テンション棒の上面および下面に沿い上記グリップ付きピックの上下一対のピッキングバーを鍵穴内へ挿入してゆくことにより、上記ディスクタンブラー錠における複数の方形リング状ディスクタンブラーが、スプリングに抗しながら一斉に下降し、上記ディスクタンブラー錠の外筒と内筒との境界としてのシアラインの上部にまたがっていた係合状態から解放されるが、一部のディスクタンブラーは上記シアラインの下部に係合した状態へ移行するので、この係合状態を次のようにして解除する操作が行われる。
【０００８】
すなわち、上記テンション棒を、そのハンドルを用いて解錠方向Ｒ（通常は反時計方向）へ付勢した状態で、上記ピックをそのグリップを把持しながら鍵穴から引抜く操作が行われる。その際、上記シアラインの下部にまたがって係合しているディスクタンブラーは、上記テンション棒による強い付勢力により、やや傾いた状態で上記外筒の下部の案内孔における壁部に摩擦係合し、その保持状態を保ったまま取り残される。
【０００９】
ついで上記テンション棒のハンドルによる同テンション棒の解錠方向への付勢力をやや緩めると、上記外筒の下部の案内孔の壁部に摩擦係合して保持されていた上記ディスクタンブラーは、その摩擦係合を解除されて上記スプリングの付勢により上昇するが、同ディスクタンブラーは、その傾斜状態を維持されるため、上記シアラインの上部に沿う外筒の案内孔の縁部に係合してとどまり、同シアラインを越えて上方へ移動するのを阻止される。
【００１０】
このようにして、すべてのディスクタンブラーが上記シアラインの内側に滞留した状態で、再び上記テンション棒のハンドルによる解錠方向への付勢力を強めると、このディスクタンブラー錠の解錠が支障なく行われるようになる。
【００１１】
また、上記テンション棒の外端部に、同テンション棒の外端部から直角に屈曲して一体に設けられた棒状ハンドルをそなえていると、同テンション棒により内筒を解錠方向へ付勢する（すなわちテンションをかける）操作が簡便に行われるようになる。
【００１２】
さらに、上記テンション棒に重合して鍵穴に挿入されるピックについても、同ピックにおける上下一対のピッキングバーの基端に一体に設けられた板状グリップを備えていると、同ピックの鍵穴への挿入および鍵穴からの引抜き操作が、上記グリップの把持により著しく簡便化される。
【００１３】
そして、上記ピックにおける上下一対のピッキングバーが、それぞれの先端部に傾斜面を有することにより全体として先細に形成されていると、同ピックの鍵穴への挿入操作が極めて円滑に行われるようになる。
【００１４】
【発明の実施の形態】
以下、図面により本発明の一実施形態としてのディスクタンブラー錠用解錠治具について説明すると、図１はそのハンドル付きテンション棒の側面図、図２は図１のＡ−Ａ矢視図、図３は図１のＢ−Ｂ矢視図、図４は図３のＣ部拡大図であり、図５は上記ディスクタンブラー錠用解錠治具におけるグリップ付きピックの側面図、図６は図５のＤ−Ｄ矢視図、図７は図５のＥ部拡大図であり、図８〜１０は上記ディスクタンブラー錠用解錠治具の使用経過を示すもので、図８は上記ハンドル付きテンション棒の鍵穴への挿入要領を示す斜視図、図９は上記テンション棒にグリップ付きピックを重合して挿入する要領を示す斜視図、図１０は図９のピック挿入後、上記ハンドル付きテンション棒に解錠方向への付勢力をかけたまま上記ピックを引抜いた状態を示す斜視図であり、図１１〜１５は上記図８〜１０の使用経過に対応してディスクタンブラー錠の内部の変化を示すもので、図１１は上記ディスクタンブラー錠の施錠状態を模式的に示す縦断面図、図１２は図１１のＦ−Ｆ矢視断面図、図１３は図１１のディスクタンブラー錠に上記ピックが挿入された状態を示す縦断面図、図１４は図１３のＧ−Ｇ矢視断面図、図１５は図１０に対応してテンション棒の操作によるディスクタンブラー錠の解錠可能の状態を示す断面図である。
【００１５】
図１〜４に示すように、本実施形態のディスクタンブラー錠用解錠治具におけるハンドル付きテンション棒１は、鍵穴（図８の符号２参照）に挿入可能な断面形状を有する金属製のテンション棒１ａと、同テンション棒１ａの外端部から直角に屈曲して一体に設けられた金属製のハンドル１ｂとを備えて構成されている。
【００１６】
そして、ハンドル１ｂを把持しながら、図８に示すように、テンション棒１ａを鍵穴２に挿入して、図９に示すごとくＲ方向への回転モーメントをかけることにより、内筒（図１１，１２の符号１２参照）を解錠方向へ付勢できるようになっている。
【００１７】
また、図９に示すごとく、テンション棒１ａの上面ａおよび下面ｂに沿い案内されて鍵穴２内へ挿入される上下一対のピッキングバー４ａ，４ｂと、これらのピッキングバー４ａ，４ｂの基端に一体に設けられた板状グリップ４ｃとからなるグリップ付きピック４が設けられている。
【００１８】
そして、図５〜７に示すように、各ピッキングバー４ａ，４ｂの先端部に傾斜面４ａａ，４ｂｂを備えることにより、ピッキングバー４ａ，４ｂは全体として先細に形成されている。
【００１９】
図１１，１２に示すように、ディスクタンブラー錠の施錠時には、その外筒１１と内筒１２との境界としてのシアライン１３に複数のタンブラー１４が交叉しているが、図１３，１４に示すごとく、ピッキングバー４ａ，４ｂの挿入に伴い各タンブラー１４はスプリング１５に抗してシアライン１３の上部以下に降下するように、同ピッキングバー４ａ，４ｂのサイズが設定されている。
【００２０】
上述の本実施形態のディスクタンブラー錠用解錠治具では、同治具を用いてディスクタンブラー錠の解錠を行う際に、まず図８に示すように、ハンドル付きテンション棒１ａを、そのハンドル１ｂを把持して鍵穴２に挿入する操作が行われる。ついで、図９に示すように、テンション棒１ａの上面ａおよび下面ｂに沿いグリップ４ｃ付きピック４の上下一対のピッキングバー４ａ，４ｂを鍵穴２内へ挿入してゆくことにより、図１３および図１４に示すごとく、ディスクタンブラー錠における複数の方形リング状ディスクタンブラー１４が、スプリング１５に抗しながら一斉に下降し、ディスクタンブラー錠の外筒１１と内筒１２との境界としてのシアライン１３の上部にまたがっていた係合状態（図１１参照）から解放されるが、一部のディスクタンブラー１４は図１３に示すごとくシアライン１３の下部に係合した状態へ移行するので、この係合状態を次のようにして解除する操作が行われる。
【００２１】
すなわち、図９に示すように、テンション棒１ａを、そのハンドル１ｂを用いて解錠方向Ｒ（通常は反時計方向）へ付勢した状態で、ピック４をそのグリップ４ｃを把持しながら鍵穴２から引抜く操作が行われる（図１０参照）。その際、シアライン１３の下部にまたがって係合しているディスクタンブラー１４は、図１４に示すごとくテンション棒１ａによる強い付勢力により、やや傾いた状態で外筒１１の下部の案内孔１１ｂにおける壁部に摩擦係合し、その保持状態を保ったまま取り残される。
【００２２】
ついでテンション棒１ａのハンドル１ｂによるテンション棒１ａの解錠方向への付勢力をやや緩めると、外筒１１の下部の案内孔１１ｂの壁部に摩擦係合して保持されていたディスクタンブラー１４は、その摩擦係合を解除されてスプリング１５の付勢により上昇するが、同ディスクタンブラー１４は、その傾斜状態を維持されるため、図１５に示すようにシアライン１３の上部に沿う外筒１１の案内孔１１ａの縁部１１ａａに係合してとどまり、同シアライン１３を越えて上方へ移動するのを阻止される。
【００２３】
このようにして、すべてのディスクタンブラー１４がシアライン１３の内側に滞留した状態で、再びテンション棒１ａのハンドル１ｂによる解錠方向Ｒへの付勢力を強めると、このディスクタンブラー錠の解錠が支障なく行われるようになる。
【００２４】
また、テンション棒１ａの外端部に、同テンション棒１ａの外端部から直角に屈曲して一体に設けられた棒状ハンドル１ｂをそなえているので、同テンション棒１ａにより内筒１２を解錠方向へ付勢する（すなわちテンションをかける）操作が簡便に行われるようになる。
【００２５】
さらに、テンション棒１ａに重合して鍵穴２に挿入されるピック４についても、同ピック４における上下一対のピッキングバー４ａ，４ｂの基端に一体に設けられた板状グリップ４ｃを備えているので、同ピック４の鍵穴２への挿入および鍵穴２からの引抜き操作が、グリップ４ｃの把持により著しく簡便化される。
【００２６】
そして、ピック４における上下一対のピッキングバー４ａ，４ｂが、それぞれの先端部に傾斜面４ａａ，４ｂｂを有することにより全体として先細に形成されているので、同ピック４の鍵穴２への挿入操作が極めて円滑に行われるようになる。
【００２７】
このようにして、本発明のディスクタンブラー錠用解錠治具によれば、キー紛失などの非常時に、従来行われていたような複雑な操作を必要とせず、複数のディスクタンブラー１４を一斉に処理しながら、短時間で解錠できるようになる利点が得られる。
【００２８】
【発明の効果】
以上詳述したように、本発明のディスクタンブラー錠用解錠治具によれば次のような効果が得られる。
（１）　ディスクタンブラー錠の解錠を行う際に、まず上記ハンドル付きテンション棒を、そのハンドルを把持して鍵穴に挿入し、上記テンション棒の上面および下面に沿いグリップ付きピックの上下一対のピッキングバーを鍵穴内へ挿入してから、上記テンション棒を、そのハンドルを用いて解錠方向Ｒ（通常は反時計方向）へ付勢した状態で、上記ピックをそのグリップを把持しながら鍵穴から引抜く操作を行い、ついで上記テンション棒のハンドルによる同テンション棒の解錠方向への付勢力をやや緩めた後、再び上記テンション棒のハンドルによる解錠方向への付勢力を強めるという簡単な操作により、ディスクタンブラー錠の解錠が支障なく行われるようになる。
（２）　上記テンション棒の外端部に、同テンション棒の外端部から直角に屈曲して一体に設けられた棒状ハンドルをそなえていると、同テンション棒により内筒を解錠方向へ付勢する（すなわちテンションをかける）操作が簡便に行われるようになる。さらに、上記テンション棒に重合して鍵穴に挿入されるピックについても、同ピックにおける上下一対のピッキングバーの基端に一体に設けられた板状グリップを備えていると、同ピックの鍵穴への挿入および鍵穴からの引抜き操作が、上記グリップの把持により著しく簡便化される。
（３）　上記ピックにおける上下一対のピッキングバーが、それぞれの先端部に傾斜面を有することにより全体として先細に形成されていると、同ピックの鍵穴への挿入操作が極めて円滑に行われるようになる。
（４）　上記（１）〜（３）項により、キー紛失などの非常時に、従来行われていたような複雑な操作を必要とせず、複数のディスクタンブラーを一斉に処理しながら、短時間で解錠できるようになる利点が得られる。
【図面の簡単な説明】
【図１】本発明の一実施形態としてのディスクタンブラー錠用解錠治具におけるハンドル付きテンション棒の側面図である。
【図２】図１のＡ−Ａ矢視図である。
【図３】図１のＢ−Ｂ矢視図である。
【図４】図３のＣ部拡大図である。
【図５】上記ディスクタンブラー錠用解錠治具におけるグリップ付きピックの側面図である。
【図６】図５のＤ−Ｄ矢視図である。
【図７】図５のＥ部拡大図である。
【図８】上記ハンドル付きテンション棒の鍵穴への挿入要領を示す斜視図である。
【図９】上記テンション棒にグリップ付きピックを重合して挿入する要領を示す斜視図である。
【図１０】図９のピック挿入後、上記ハンドル付きテンション棒に解錠方向への付勢力をかけたまま上記ピックを引抜いた状態を示す斜視図である。
【図１１】上記ディスクタンブラー錠の施錠状態を模式的に示す縦断面図である。
【図１２】図１１のＦ−Ｆ矢視断面図である。
【図１３】図１１のディスクタンブラー錠に上記ピックが挿入された状態を示す縦断面図である。
【図１４】図１３のＧ−Ｇ矢視断面図である。
【図１５】図１０に対応してテンション棒の操作によるディスクタンブラー錠の解錠可能の状態を示す断面図である。
【図１６】一般的なディスクタンブラー錠の分解斜視図である。
【図１７】従来のピックの側面図である。
【図１８】従来のテンションの側面図である。
【符号の説明】
１　ハンドル付きテンション棒
１ａ　テンション棒
１ｂ　ハンドル
２　鍵穴
４　グリップ付きピック
４ａ，４ｂ　ピッキングバー
４ａａ，４ｂｂ　傾斜面
４ｃ　グリップ
１１　外筒
１１ａ，１１ｂ　案内孔
１１ａａ　外筒案内孔の縁部
１２　内筒
１３　シアライン
１４　ディスクタンブラー
１５　スプリング
１６　Ｅリング
１７　カム
１８　プラグリターンスプリング
１９　プラスティックファスナー
２０　バネ
２１　バネ板
２２　ダストカバー
２３　シリンダーカバー
ａ　テンション棒操作時の上面
ｂ　テンション棒操作時の下面
Ｒ　解錠方向
【図１】
2004036154.tif 000003
【図２】
2004036154.tif 000004
【図３】
2004036154.tif 000005
【図４】
2004036154.tif 000006
【図５】
2004036154.tif 000007
【図６】
2004036154.tif 000008
【図７】
2004036154.tif 000009
【図８】
2004036154.tif 000010
【図９】
2004036154.tif 000011
【図１０】
2004036154.tif 000012
【図１１】
2004036154.tif 000013
【図１２】
2004036154.tif 000014
【図１３】
2004036154.tif 000015
【図１４】
2004036154.tif 000016
【図１５】
2004036154.tif 000017
【図１６】
2004036154.tif 000018
【図１７】
2004036154.tif 000019
【図１８】
2004036154.tif 000020